(57)【要約】  本発明は、コンテンツ再生装置（１）において現に再生されているコンテンツの遠隔記録のためのシステム及び方法に関する。このコンテンツ再生装置（１）は、受信したコンテンツを再生することが可能であり、現に再生しているコンテンツを記録するための指令のユーザ入力のための手段を有し、コンテンツを識別するコンテンツ識別子及びそのコンテンツが伝送されているところのコンテンツチャネルを識別するコンテンツチャネル識別子のうちの少なくとも１つを有するコンテンツ属性を判定することができ、遠隔記録装置（３）にコンテンツ属性を有する記録指令を送信することができる。遠隔記録装置は、コンテンツ再生装置（１）から記録指令を受信し、コンテンツ属性に基づいて伝送チャネルを識別し、伝送チャネルにおいて受信したコンテンツを記録することが可能である。
2007528655.tif 000002
【特許請求の範囲】
【請求項１】
コンテンツの遠隔記録のためのシステムであって、
・受信したコンテンツを再生することができ、現に再生しているコンテンツを記録するための指令のユーザ入力のための手段を有し、前記コンテンツを識別するコンテンツ識別子と、前記コンテンツが伝送されているところのコンテンツチャネルを識別するコンテンツチャネル識別子のうちの少なくとも１つを有するコンテンツ属性を判定することができ、遠隔して位置づけられる記録装置に前記コンテンツ属性を有する記録指令を送信することのできるコンテンツ再生装置と、
・前記コンテンツ再生装置から前記記録指令を受信し、前記コンテンツ属性に基づいて伝送チャネルを識別し、前記伝送チャネルにおいて受信された前記コンテンツを記録することのできる遠隔記録装置と、
を有するシステム。
【請求項２】
請求項１に記載のシステムに用いられるコンテンツ再生装置。
【請求項３】
請求項２に記載のコンテンツ再生装置であって、前記伝送チャネルにおいて前記遠隔記録装置により現に受信されているコンテンツのサンプルを受信し再生することができ、前記サンプルが記録すべきコンテンツを表すことを確認又は無効にするための他の指令のユーザ入力のための手段を有し、さらに前記他の指令を前記遠隔記録装置に伝送することができる、再生装置。
【請求項４】
請求項２に記載のコンテンツ再生装置であって、記録すべき放送ビデオプログラムの現視聴を行うことのできるテレビジョン対応型モバイル装置を有し、このテレビジョン対応型モバイル装置は、通信手段を有し、この通信手段は、前記遠隔記録装置と通信をするように構成され、前記テレビジョン対応型モバイル装置は、前記現に視聴されているプログラムを識別する手段をさらに有し、前記テレビジョン対応型モバイル装置は、前記現に視聴されているプログラムを記録するための指令のユーザ入力のための手段をさらに具備し、前記テレビジョン対応型モバイル装置は、前記通信手段を用いて前記遠隔記録装置に対して前記現に視聴されているプログラムを識別する情報を伝送する手段をさらに有する、装置。
【請求項５】
請求項４に記載のコンテンツ再生装置であって、前記現に視聴されているプログラムを識別する手段は、前記テレビジョン対応型モバイル装置により受信された前記放送プログラムに埋め込まれたテレテキスト情報から前記現に視聴されているチャネルに関する情報を抽出するように構成される、装置。
【請求項６】
請求項４に記載のコンテンツ再生装置であって、前記現に視聴されているプログラムを識別する手段は、前記テレビジョン対応型モバイル装置により受信された前記プログラムにおける特徴抽出及び自動特徴認識により前記現に視聴されているチャネルに関する情報を抽出するように構成される、装置。
【請求項７】
請求項４に記載のコンテンツ再生装置であって、前記現に視聴されているプログラムを識別する手段は、チャネルロゴタイプを抽出し認識することにより前記現に視聴されているチャネルを識別するように構成される、装置。
【請求項８】
請求項４に記載のコンテンツ再生装置であって、前記現に視聴されているプログラムを識別する手段は、前記テレビジョン対応モバイル装置により受信される前記放送プログラムを有するディジタルトランスポートストリームに埋め込まれている情報から前記現に視聴されているチャネルに関する情報を抽出するように構成される、装置。
【請求項９】
請求項８に記載のコンテンツ再生装置であって、前記トランスポートストリームから抽出される情報は、電子サービスガイド及び／又は電子プログラムガイドデータをさらに有する、装置。
【請求項１０】
その実行によりプログラム可能な装置を請求項１に記載のコンテンツ再生装置として機能させることを可能とするコンピュータプログラム製品。
【請求項１１】
請求項１に記載のシステムに用いられる遠隔記録装置。
【請求項１２】
請求項１１に記載の遠隔記録装置であって、前記コンテンツ再生装置に対して前記伝送チャネルにおいて前記遠隔記録装置により現に受信されているコンテンツのサンプルを伝送することにより前記記録指令へ応答することが可能な装置。
【請求項１３】
請求項１１に記載の遠隔記録装置であって、前記確認指令が受信されるまで当該記録を遅延させることがさらに可能である、装置。
【請求項１４】
請求項１２に記載の遠隔記録装置であって、否定の指令が受信されるときに異なる伝送チャネルを選択することがさらに可能である、装置。
【請求項１５】
請求項１１に記載の遠隔記録装置であって、放送ビデオプログラムの受信をなすよう構成され、前記情報を解読しそれを対応のプログラムを記録するための指令に変換する手段を有する、装置。
【請求項１６】
請求項１に記載の遠隔記録装置としてその実行によりプログラム可能な装置を機能させることを可能とするコンピュータプログラム製品。
【請求項１７】
コンテンツの遠隔記録を可能とする方法であって、
・コンテンツ再生装置において現に再生されているコンテンツを記録するためのユーザ入力指令を受信するステップと、
・前記コンテンツを識別するコンテンツ識別子及び前記コンテンツが伝送されているところのコンテンツチャネルを識別するコンテンツチャネル識別子の少なくとも１つを有するコンテンツ属性を判定するステップと、
・遠隔記録装置に前記コンテンツ属性を有する記録指令を伝送するステップと、
を有する方法。
【請求項１８】
コンテンツの遠隔記録方法であって、コンテンツ属性を有する記録指令を受信するステップを有し、前記コンテンツ属性は、コンテンツ再生装置において再生されているコンテンツを識別するコンテンツ識別子及びコンテンツ再生装置において再生されるコンテンツが伝送されているところのコンテンツチャネルを識別するコンテンツチャネル識別子の少なくとも１つを有し、当該方法はさらに、前記コンテンツ属性に基づいて伝送チャネルを識別するステップと、前記伝送チャネルにおいて受信されるコンテンツを記録するステップとを有する、方法。
【発明の詳細な説明】
【技術分野】
【０００１】
本発明は、コンテンツ例えば放送ビデオ（テレビジョン）プログラムの遠隔記録のためのシステム及び方法に関する。
【背景技術】
【０００２】
テレビジョン視聴可能な移動電話機などのテレビ対応型モバイル装置が市場にいよいよ登場してきている。このような装置のモバイルユーザが直面する可能性のある問題は、当該視聴者が静止していないという状況から起きる環境によりプログラムの視聴が中断されなければならないかもしれないということである。例えば、交通渋滞で待っていたり、列車若しくはフライト、約束若しくは同様の機会を待っている視聴者は、テレビ対応モバイル装置で関心のあるプログラムを見る状態にあるかもしれないが、当該プログラムが終わる前に視聴するのを止めなければならない。
【０００３】
以前より知られている欧州特許公開ＥＰ１１５２６０９号公報は、ディジタルデコーダなどの、放送又はケーブルテレビジョン信号を受信する受信モジュールに結合された遠隔記録装置に関する。この遠隔記録装置は、数時間の記録を保持することの可能なビデオ及びオーディオプログラム記憶のためのハードディスクを含む。このシステムは、インターネットを介して又は移動電話機信号を通じてオーディオ又はビデオプログラムの遠隔プログラミングを提供する。記憶を開始させる指令は、当該遠隔記録装置により記録すべきチャネルのチャネル番号並びに開始及び停止時間を表す情報或いは当該記録が即座に始動されるべきことを表す情報を含む情報メッセージとして手動でフォーマット化される。
【０００４】
これにより、ユーザは、当該遠隔記録装置を用いてプログラムを記録することが可能となるが、ＥＰ１１５２６０９による遠隔記録装置は、ユーザが記録すべきプログラムを手動で識別し、遠隔記録装置の対応のチャネル番号を思い出し、遠隔記録装置により記録すべきチャネルのチャネル番号を有する情報メッセージを手動で構成しなければならない、という短所がある。さらに、ＥＰ１１５２６０９は、ユーザがＴＶプログラムを見ることを可能とせず、これにより、ユーザが記録を所望するかもしれない面白いＴＶプログラムが伝送されているかどうかの判定の仕方をユーザに提供するものではない。
【発明の開示】
【発明が解決しようとする課題】
【０００５】
上述した点に鑑み、本発明の目的は、コンテンツ再生装置例えばテレビジョン対応モバイル装置のユーザが、正しいチャネルや時間などを選択し「プログラム」する仕方につき当該ユーザに混乱を生じさせることなく、その場の目的に限って又は衝動的に、自分のコンテンツ再生装置において見ているＴＶプログラムなどのコンテンツを記録するよう例えば自宅の遠隔記録装置に自動的に指令することができるシステムを提供することである。
【課題を解決するための手段】
【０００６】
この目的は、当該システムが・受信したコンテンツを再生することができ、現に再生しているコンテンツを記録するための指令のユーザ入力のための手段を有し、前記コンテンツを識別するコンテンツ識別子と、前記コンテンツが伝送されているところのコンテンツチャネルを識別するコンテンツチャネル識別子のうちの少なくとも１つを有するコンテンツ属性を判定することができ、遠隔して位置づけられる記録装置に前記コンテンツ属性を有する記録指令を送信することのできるコンテンツ再生装置と、・前記コンテンツ再生装置から前記記録指令を受信し、前記コンテンツ属性に基づいて伝送チャネルを識別し、前記伝送チャネルにおいて受信された前記コンテンツを記録することのできる遠隔記録装置と、を有するものとして達成される。
【０００７】
コンテンツ識別子は、例えば、名称、解説及び／又は当該コンテンツのフィンガープリント情報を有することができる。コンテンツ再生装置は、特徴抽出及び／又は自動特徴認識によりフィンガープリント情報を作成することができるものとしてもよい。コンテンツ再生装置は、電子プログラムガイド（Electronic Program Guide；ＥＰＧ）からコンテンツの名称及び／又はその解説を抽出することができるものとしてもよい。コンテンツチャネル識別子は、例えば、ＮＢＣ，ＦＯＸ，ＢＢＣなどの名称及び／又はコンテンツチャネルのロゴを有するものとしてもよい。伝送チャネルは、例えば、アナログ／ディジタルの地上／衛星放送の周波数により、又はマルチキャストグループアドレスにより識別されるようにしてもよい。コンテンツは、例えば、ビデオ（テレビジョン）又はオーディオ（ラジオ）とすることができる。コンテンツ再生装置は、例えば、テレビジョン及び／又はラジオ対応型モバイル装置としてもよい。
【０００８】
本発明の他の目的は、コンテンツ再生装置のユーザが、正しいチャネルや時間などを選択し「プログラム」する仕方につき当該ユーザに混乱を生じさせることなく、その場の目的に限って又は衝動的に、自分の装置において見ているＴＶプログラムなどのコンテンツを記録するよう例えば自宅の遠隔記録装置に自動的に指令することができる方法を提供することである。
【０００９】
この目的は、コンテンツの遠隔記録を可能とする方法であって、・コンテンツ再生装置において現に再生されているコンテンツを記録するためのユーザ入力指令を受信するステップと、・前記コンテンツを識別するコンテンツ識別子及び前記コンテンツが伝送されているところのコンテンツチャネルを識別するコンテンツチャネル識別子の少なくとも１つを有するコンテンツ属性を判定するステップと、・遠隔記録装置に前記コンテンツ属性を有する記録指令を伝送するステップと、を有する方法として、また、コンテンツの遠隔記録方法であって、コンテンツ属性を有する記録指令を受信するステップを有し、前記コンテンツ属性は、コンテンツ再生装置において再生されているコンテンツを識別するコンテンツ識別子及びコンテンツ再生装置において再生されるコンテンツが伝送されているところのコンテンツチャネルを識別するコンテンツチャネル識別子の少なくとも１つを有し、当該方法はさらに、前記コンテンツ属性に基づいて伝送チャネルを識別するステップと、前記伝送チャネルにおいて受信されるコンテンツを記録するステップとを有する、方法として達成される。
【００１０】
かかるコンテンツの遠隔記録を可能とする方法は、例えば、コンテンツ再生装置又はコンテンツ再生装置と通信を行うインターネットサービスにより行うことができる。このコンテンツ記録方法は、例えば、ハードディスクレコーダ、ＤＶＤレコーダ又はハードディスクレコーダ又はＤＶＤレコーダに指令する住宅の玄関により行うことができる。
【００１１】
好適な実施例は、従属請求項に記載されている。
【００１２】
図面においては、同等の参照文字は複数の図にわたり同様の要素を示している。
【００１３】
以下では、本発明の他の目的及び特徴を、添付図面に関連づけて検討される次の詳細な説明から明らかにする。なお、図面は、単に例証の目的をもって構成されており本発明の限界の定義をするものではなく、この観点で添付の請求項に符号が付されるべきものであることに留意されたい。また、図面は、必ずしも一律の尺度で描かれてはおらず、他に特段に示さない限り、ここで説明される構成及び方法を概念的に示す意図を持ったものにすぎないことにも留意されたい。
【発明を実施するための最良の形態】
【００１４】
図１は、テレビジョン対応型モバイルコンテンツ再生装置１のディスプレイに現に示される放送ビデオ（テレビジョン）プログラムの遠隔記録のためのシステムを概略的に示している。このテレビジョン対応モバイルコンテンツ再生装置１は、例えば、移動電話機、通信機能を有するＰＤＡ、通信機能を有するポータブルゲーム装置又はこれらに類似の装置とすることができる。
【００１５】
テレビジョン対応モバイルコンテンツ再生装置１は、地上波のアナログ又はディジタル放送規格を用いて伝送された放送ビデオ（テレビジョン）プログラムの受信をなすように構成されることができるが、モバイルコンテンツ再生装置１のユーザは恐らく異なる放送送信機２の間で移動するので、ＤＶＢ−Ｔ又はＡＴＳＣなどの地上ディジタル放送規格が大抵はテレビジョン対応モバイルコンテンツ再生装置１に対してより良い受信品質を提供することとなる。
【００１６】
本発明の目的は、自宅の記録装置３は、しばしば例えばケーブル４、衛星５又は地上波６などの異なるソースを介し周波数スペクトルの異なる順序で、モバイルコンテンツ再生装置１とは異なるセットのチャネルに直面する可能性があるので、ユーザが、正しいチャネルや時間などを選択し「プログラム」する仕方につき当該ユーザに混乱を生じさせることなく、その場の目的に限って又は衝動的に、自分のモバイルコンテンツ再生装置１において見ているＴＶプログラムを記録するよう例えば自宅の遠隔記録装置３に自動的に指令することを可能とすることである。自宅の記録装置３はまた、図２に示されるように、モバイルコンテンツ再生装置１とは異なる時間帯にある場合もあり、これにより、時間／ＴＶチャネル空間におけるＴＶプログラムの異なる構成に直面する。
【００１７】
本発明によれば、第１の実施例は、テレビジョン対応型モバイルコンテンツ再生装置１において現に見ている放送ビデオ（テレビジョン）プログラムの遠隔記録のためのシステムを提供する。このテレビジョン対応モバイルコンテンツ再生装置１は、ＧＳＭやＵＭＴＳなどの現行又は将来の規格のいずれかに準じて動作する移動電話機モジュール又はこれに類似の装置のような通信手段（矢印７により示される）を有する。この通信手段は、放送ビデオ（テレビジョン）プログラムの受信をなすように構成された遠隔配置された記録装置３と通信を行うように構成されている。この通信は、移動電話ネットワーク若しくは移動電話ネットワークと固定の陸上通信線及びインターネットなどのコンピュータネットワークの一方との組み合わせ、又は他の適切な現行又は将来の通信ネットワーク８を介して行うことができる。記録装置３は、ビデオカセットレコーダ（ＶＣＲ）、ハードディスク、記録可能型ディジタルバーサタイルディスク（ＤＶＤ）又は同様の記憶手段を含むディジタルビデオレコーダ（ＤＶＲ）、こうした記録手段を含むディジタルテレビジョンデコーダ又は類似の装置を含む現行又は将来の記録装置３とすることができる。テレビジョン対応型モバイルコンテンツ再生装置１は、そのユーザにより現に見られるプログラムを好ましくは自動的に識別する手段と、現に見られているプログラムを記録するためのコマンドのユーザ入力のための他の手段とを有する。テレビジョン対応型モバイルコンテンツ再生装置１はさらに、例えば移動電話技術に基づいて、遠隔記録装置３に対し、現に視聴されているプログラムを識別する情報を伝達するための手段を有する。遠隔記録装置３は、当該情報を解読し、それを対応のプログラムを記録するための指令に変換する手段、例えばマイクロコンピュータや当該マイクロコンピュータにおいて実行される場合の当該解読及び変換を行うための関連のソフトウェアを有する。
【００１８】
本発明の第２の実施例では、テレビジョン対応型モバイルコンテンツ再生装置１において現に視聴されているプログラムを識別する手段は、テレビジョン対応型モバイルコンテンツ再生装置１により受信された放送プログラムに埋め込まれているテレテキスト情報から現に視聴されているチャネルに関する情報を抽出するように構成される。このテレビジョン対応型モバイルコンテンツ再生装置１により受信された放送プログラムに埋め込まれているテレテキスト情報から抽出された情報は、プログラムデリバリコントロール（ＰＤＣ；Program Delivery Control）情報とするのが好ましい。プログラムデリバリコントロールは、ＶＣＲタイミング制御型記録のための垂直ブランキングインターバル（ＶＢＩ）情報に基づいたプログラミングを提供するヨーロッパにおいて使用されているシステムの一般的な名称である。但し、幾つかの同様のシステムも存在しており、ここでは、プログラムデリバリコントロール情報という表現の範囲内に全ての同様のシステムを含ませることを意図している。
【００１９】
第３の実施例では、テレビジョン対応型モバイルコンテンツ再生装置１において現に視聴されるプログラムを識別する手段は、テレビジョン対応型モバイルコンテンツ再生装置１により受信されたプログラムにおける特徴抽出及び自動特徴認識により当該現に視聴されているチャネルに関する情報を抽出するように構成される。１つの可能な形態は、放送されている信号にその特徴がある場合、チャネルロゴタイプを抽出し認識することにより現に視聴されているチャネルを識別するよう現に視聴されているプログラムを識別するように当該手段を構成することである。但し、フィンガープリント及び対応の認識技術がビデオコンテンツ、オーディオコンテンツ又はそれら両方の他の特徴に適用可能であることが想定される。
【００２０】
本発明の第４の実施例において、遠隔記録装置３は、遠隔記録装置３により現に受信されるプログラムのサンプル画像をテレビジョン対応型モバイルコンテンツ再生装置１に伝達することにより、テレビジョン対応型モバイルコンテンツ再生装置１における現に視聴されているプログラムを識別する情報に応答するように構成された通信手段（矢印９により示される）を有する。こうした通信手段はまた、移動電話ネットワーク若しくは移動電話ネットワークと固定の陸上通信線電話ネットワーク及びインターネットなどのコンピュータネットワークの一方との組み合わせ、又は他の適切な現行又は将来の通信ネットワーク８を介して通信を行うように構成可能である。テレビジョン対応型モバイルコンテンツ再生装置１は、そのディスプレイにサンプル画像を表示するよう構成される。テレビジョン対応型モバイルコンテンツ再生装置１はさらに、サンプル画像により識別されるプログラムが記録されるべきプログラムであることを確認し又は無効にし遠隔記録装置３にこの情報を通信するためのコマンドの入力を可能とするキーボード、タッチスクリーン又はこれに類似のデバイスのようなユーザ入力のための手段を有する。遠隔記録装置３はさらに、遠隔記録装置３により現に受信されているプログラムを記録するための指令として確認情報を解読し、又は異なるチャネルに対して遠隔記録装置３を同調させるための指令として無効情報を解読し、ここで受信されたプログラムのサンプル画像をテレビジョン対応型モバイルコンテンツ再生装置１に伝送するステップを、テレビジョン対応型モバイルコンテンツ再生装置１のユーザから確認応答が受信されて記録が始動されるまで繰り返す手段を有する。
【００２１】
第５の実施例では、テレビジョン対応型モバイルコンテンツ再生装置１で現に視聴されているプログラムを識別する手段は、テレビジョン対応型モバイルコンテンツ再生装置１により受信される放送プログラムを有するディジタルトランスポートストリーム（ＴＳ）に埋め込まれている情報から現に視聴されているチャネルに関する情報を抽出するように構成される。
【００２２】
限定することを目的としない例として示される１つのディジタル放送規格、ＤＶＢによれば、放送用の複数のラジオ周波数（ＲＦ）チャネルは、単一の「ネットワーク」により用いることができる。１つのＲＦチャネルでは、１つのトランスポートストリーム（ＴＳ；Transport Stream）が放送可能である。１つのＴＳでは、複数の「サービス」が共にデータストリームと多重化される。各サービスは、単一の「ＴＶチャネル」に対応する。データストリームは、「オブジェクト」（情報アイテムを備えるテーブル）の形態で、トランスポートストリームにおいて全てのサービスに関する全ての情報を伝送する。したがって、ディジタル受信の場合、モバイルコンテンツ再生装置１及び自宅の記録装置３の双方は、時間シフト又は「接続される」態様（ケーブル／衛星／地上波，ＲＦチャネルのアロケーション）にかかわらず、この情報を見つけアクセスし使用することができる。勿論、複数の「ネットワーク」もある場合があり、各々が１つ以上のトランスポートストリームを持っている。
【００２３】
次の情報アイテムは、大抵は、データストリームに存在し、本発明を実現するのに好適に用いられる。
１．ＴＳにおけるサービスを識別し見つけるために用いることができるディジタルビデオ放送ロケータ（Digital Video Broadcast Locator）＝ＤＶＢロケータ
２．放送ネットワークを一義的に識別するオリジナルネットワークＩＤ
３．１つのネットワーク内で一義的にＴＳを識別するトランスポートスリームＩＤ
４．１ＴＳ内で一義的にサービスを識別するサービスＩＤ
５．ネットワークにより予め規定されるようなチャネルの提案される順序であって、ビデオ機器におけるチャネルの自動的な設定のために用いることができる論理チャネル番号＝ＬＣＮ
６．電子サービスガイド＝ＥＳＧ及び電子プログラムガイド＝ＥＰＧ
【００２４】
これらのガイドは、（イベント情報テーブル＝ＥＩＴにおいて）将来に向けて或る期間において「イベント情報」を含む。ここでのイベントは、プログラムの予定された開始又は終了を表す。過去のイベントは、該当のプログラムが終了するとこのテーブルから除去される。すなわち、最近のイベントだけがなお維持される。
【００２５】
テレビジョン対応型モバイルコンテンツ再生装置１及び遠隔記録装置３の双方が同一の時間帯でディジタル放送を受信する場合、トランスポートストリームから抽出される情報は、オリジナルネットワーク識別子、トランスポートストリーム識別子及びサービス識別子を有するのが好ましい。多くの場合、この情報は、遠隔記録装置３がこの情報を解読しそれをモバイルコンテンツ再生装置１のユーザにより現に視聴されているプログラムに対応するプログラムを記録するための指令に変換することが可能となるのに十分なものとすべきである。
【００２６】
当該装置が図２に示されるように異なる時間帯で動作する場合、又は特定のプログラムが後の時間、所定のネットワークにおいて利用可能となるような例えば＋１ｈチャネルで再伝送される場合、トランスポートストリームから抽出される情報は、電子サービスガイド（ＥＳＧ）データ及び／又は電子プログラムガイド（ＥＰＧ）データをさらに有する。多くの場合、この情報は、遠隔記録装置３がこの情報を解読しそれをモバイルコンテンツ再生装置１のユーザにより現に視聴されているプログラムに対応するプログラムのスケジュールされた後の記録のための指令に変換することができるのに十分なものとすべきである。図２において、テレビジョン対応モバイルコンテンツ再生装置１は、一点鎖線の左側において第１の時間帯で動作させられ、遠隔記録装置３は、一点鎖線の右側において当該時間帯とは異なる第２の時間帯で動作させられる。
【００２７】
以上、その好適実施例に適用されるような本発明の基礎的な新規な特徴を示し、説明しポイントを挙げてきたが、図示した装置の形態及び詳細並びにそれらの動作における様々な省略や代替、変更は、本発明の主旨を逸脱することなく当業者によって実現可能である。例えば、同じ結果をもたらす実質的に同じ態様で実質的に同じ機能をなすそれらの要素及び／又は方法ステップの全ての組み合わせは、本発明の範囲内にあることが明らかである。さらに、本発明の開示された形態又は実施例に関連して図示及び／又は説明がなされた構成及び／又は要素及び／又は方法ステップは、一般的設計事項として他の開示若しくは説明又は示唆された形態又は実施例に組み込まれることができることも認識されたい。したがって、ここに付記された請求項の範囲によって示されているように限定されることを意図したものである。
【００２８】
「コンピュータプログラム製品」は、インターネットの如きネットワークを介してダウロード可能な、又は他の何らかの態様で市場性のあるフロッピー（登録商標）ディスクなどのコンピュータ読出可能な媒体に記録されるあらゆるソフトウェア製品を意味することを理解されたい。
【図面の簡単な説明】
【００２９】
【図１】本発明によるテレビジョン対応型モバイル装置において現に視聴される放送ビデオ（テレビジョン）プログラムの遠隔記録のためのシステムの概略図。
【図２】２つの時間帯において動作する図１によるシステムの概略図。
【図１】
2007528655.tif 000003
【図２】
2007528655.tif 000004
【国際調査報告】
2007528655.tif 000005
2007528655.tif 000006
2007528655.tif 000007